(57)【特許請求の範囲】
【請求項１】
支柱の下端部の周囲を、上端にベース棚板を備える幕板により覆うとともに、ベース棚板の中心部より上方に突出する支柱の外面に、支柱と平行の複数の照明灯を、円周方向に所定間隔おきに取付け、これら各照明灯の周囲を透光性のカバーにより覆い、かつ該カバーの周囲に、上下複数段の棚板を、それぞれ前記支柱の外面より放射方向に延出する複数のブラケットにより支持させて設けたことを特徴とする照明付き商品陳列棚。
【請求項２】
支柱の上端に、上面に形成した凹部内に円環状の照明灯を収容した支持板を取付け、この支持板の上面に透光性の棚板を載置して固定したことを特徴とする請求項１記載の照明付き商品陳列棚。
【請求項３】
カバーを、その上下両端をベース棚板と支柱上端の支持板により挟持することにより固定した請求項１または２記載の照明付き商品陳列棚。
【請求項４】
ベース棚板の上面と支柱上端の支持板との下面に、カバーの横断面形状とほぼ補形をなす凹部を設け、これら両凹部内にカバーの上下両端を嵌合させた請求項３記載の照明付き商品陳列棚。
【請求項５】
カバーを、各照明灯を個々に覆う分割構造のものとした請求項１〜４のいずれかに記載の照明付き商品陳列棚。
【請求項６】
支柱の形状を平面視十字形とし、それによって区画される４個の空間部に各照明灯を配設した請求項１〜５のいずれかに記載の照明付き商品陳列棚。
【請求項７】
支柱より放射方向に延出させた互いに隣接するブラケットの先端部同士を、棚板が支持可能な連結杆により連結した請求項１〜６のいずれかに記載に照明付き商品陳列棚。
【請求項８】
カバーの周囲の各棚板を、透光性を有するものとした請求項１〜７のいずれかに記載の照明付き商品陳列棚。
【発明の詳細な説明】
【０００１】
【発明の属する技術分野】
本発明は、例えば化粧品等を載置して陳列する際に用いられる照明付きの塔形の商品陳列棚に関する。
【０００２】
【従来の技術】
照明付きの従来の商品陳列棚としては、例えば実公平６−４９２５０号公報に記載されているように、支柱内の中央部に直管状の照明灯を収容し、その周囲を透光性のカバーにより囲繞したものがある。
【０００３】
【発明が解決しようとする課題】
上述した従来の商品陳列棚のように、支柱内の中央にのみ照明灯を有するものでは、照明領域が限られるとともに、周囲の照度にばらつきが生じるため、比較的大きな棚板を多段状に取付けたりした際などに、陳列商品が効果的に照明されなかったり、陳列商品に明暗が生じるなどし、陳列効果が低下する。
また、支柱の上端にも棚板を設けてそれに商品を陳列しようとすると、その商品の照明効果が著しく低下する。
【０００４】
本発明は、上述の問題点に鑑みてなされたもので、照明領域を拡大し、かつ照度を均一とすることにより、陳列商品を効果的に照明し、陳列効果を高めるとともに、最上段の棚板の陳列商品も効果的に照明しうるようにした、照明付き商品陳列棚を提供することを目的としている。
【０００５】
【課題を解決するための手段】
本発明によると、上記課題は、次のようにして解決される。
（１）支柱の下端部の周囲を、上端にベース棚板を備える幕板により覆うとともに、ベース棚板の中心部より上方に突出する支柱の外面に、支柱と平行の複数の照明灯を、円周方向に所定間隔おきに取付け、これら各照明灯の周囲を透光性のカバーにより覆い、かつ該カバーの周囲に、上下複数段の棚板を、それぞれ前記支柱の外面より放射方向に延出する複数のブラケットにより支持させて設ける。
【０００６】
（２）上記(１)項において、支柱の上端に、上面に形成した凹部内に円環状の照明灯を収容した支持板を取付け、この支持板の上面に透光性の棚板を載置して固定する。
【０００７】
（３）上記(１)または(２)項において、カバーを、その上下両端をベース棚板と支柱上端の支持板により挟持することにより固定する。
【０００８】
（４）上記(３)項において、ベース棚板の上面と支柱上端の支持板との下面に、カバーの横断面形状とほぼ補形をなす凹部を設け、これら両凹部内にカバーの上下両端を嵌合させる。
【０００９】
（５）上記(１)〜(４)項のいずれかにおいて、カバーを、各照明灯を個々に覆う分割構造のものとする。
【００１０】
（６）上記(１)〜(５)項のいずれかにおいて、支柱の形状を平面視十字形とし、それによって区画される４個の空間部に各照明灯を配設する。
【００１１】
（７）上記(１)〜(６)項のいずれかにおいて、支柱より放射方向に延出させた互いに隣接するブラケットの先端部同士を、棚板が支持可能な連結杆により連結する。
【００１２】
（８）上記(１)〜(７)項のいずれかにおいて、カバーの周囲の各棚板を、透光性を有するものする。
【００１３】
【発明の実施の形態】
以下、本発明の実施形態を、図面に基づいて説明する。
図１は、商品陳列棚(Ａ)全体を正面から見た斜視図、図２は、同じく正面図、図３は、図２におけるIII−III線の拡大横断平面図を示すもので、商品陳列棚(Ａ)は、その高さが例えば１８０cm程度の塔形をなしている。
【００１４】
商品陳列棚(Ａ)は、支柱(１)と、その下端部を覆う円筒形の幕板(２)と、複数（４個）の照明器具(３)と、その外面と支柱(１)の上端部を覆う複数（４個）のカバー(４)と、カバー(４)の周囲を囲む上下複数段（実施形態では６段）の平板リング状の棚板(5a)〜(5f)とを主要部として構成されている。
【００１５】
上記支柱(１)は、図４に示すように、角筒状断面をなす水平のベース脚(6a)と、その一端に結合された角筒状の垂直杆(6b)とからなる汎用性の高いＬ字状の４個の支柱単体(６)よりなり、これらの支柱単体(６)同士を、平面視十字形をなすように、各垂直杆(6b)の背面の側縁同士を互いに当接させた状態で、隣接する垂直杆(6b)における両側面の上端部と中央部と下端部同士を、Ｌ字状の連結金具(７)により結合することにより、一体化されている。
【００１６】
各支柱単体(６)におけるベース脚(6a)の両端部下面には、アジャスタボルト(８)が取付けられ、また各垂直杆(6b)の上端面には、後記する最上段の棚板(5f)載置用の支持板(26)を取付けるためのめねじ孔(９)が穿設されている。(10)は、各垂直杆(6b)の外面の両側部に上下方向に多数列設された、後記するブラケット(34)取付用の係合孔である。
【００１７】
上記幕板(２)は、図４〜図６に示すように、円周を４等分した長さの円弧状をなす４個の幕片(11)における両側端同士を、次のようにして互いに結合することにより、一体化されている。
【００１８】
すなわち、上記幕板(２)は、各幕片(11)の両側端に折曲形成された求心方向を向くフランジ片(11a)同士の複数個所を、ボルト(12)とナット(13)により締結することにより、例えば直径が８００mm前後の円筒形に形成されている。
【００１９】
また各幕片(11)の両フランジ片(11a)間には、内向きコ字状をなす水平の補強杆(14)が横架され、その両端部の外向折曲片(14a)を、フランジ片(11a)の中間部を締結しているボルト(12)とナット(13)により共締めすることにより、幕板(２)の内面は、平面視方形枠状に結合された４本の補強杆(14)により補強されている。これにより、幕板(２)が大径でかつ薄肉であっても、板厚方向に撓んだり、変形したりするのが防止される。
【００２０】
各幕片(11)における内面の下端部中央には、各支柱単体(６)のベース脚(6a)に上方よりがたなく嵌合可能な下向きフック状の係止金具(15)が、溶接により固着されている。
【００２１】
図５及び図６に示すように、幕板(２)は、上記４個の係止金具(15)を各支柱単体(６)のベース脚(6a)に上方より嵌合して係止することにより、床面(Ｆ)より若干離間した状態で支柱(１)に対し回動不能に支持されている。
【００２２】
上記各係止金具(15)は、その一方の垂下片を他方の垂下片よりも短寸として、幕板(２)を大きく持ち上げることなく、ベース脚(6a)に着脱しうるようにしてあるが、両方の垂下片を等寸としてもよいことは勿論である。なお、上記幕板(２)は大径であるため、その製造や取扱いの容易性に配慮して４分割構造としているが、陳列棚(Ａ)が小型の際には、一体の円筒形とすることもある。また、円筒形とは限らず、多角形やだ円形等とすることもある。
【００２３】
上記最下段のベースとなる棚板(5a)は、例えば木製板材により、幕板(２)の外径よりも若干大径の円板状に形成され、その中心には、支柱(１)が挿通可能な大きさの通孔(16)が穿設されている。
【００２４】
図５に示すように、上記棚板(5a)は、その下面に形成された円形の膨出部(17)を、幕板(２)の上端部内に嵌合することにより、径方向に位置ずれするのが規制されて、幕板(２)の上端に載置されている。
【００２５】
また、棚板(5a)は、膨出部(17)の下面の周端部に形成したスリット状の上向きの４個の凹溝(18)を、各幕片(11)を結合しているフランジ片(11a)の上端部に嵌合することにより、幕板(２)に対しての回り止めもなされている。
【００２６】
棚板(5a)の通孔(16)を囲む中央部上面には、上記各カバー(４)の下端部ががたなく嵌合しうるように、その外形と補形をなす平面視扇状の４個の凹部(19)が、円周方向に９０°の間隔をもって形成されている。
【００２７】
上記各照明器具(３)は、図３及び図７に示すように（図７においては、便宜上２個の照明器具のみを示す）、上下方向を向く直管型の照明灯（蛍光灯）(20)と、その上下両端を通電状に保持する支持体(21)とからなり、その上下長は、支柱(１)における棚板(5a)よりの突出寸法とほぼ等長、もしくは若干小寸としてある。
【００２８】
各照明器具(３)を支柱(１)に取付けるには、支持体(21)の背面の上下部に、内向きコ字状の支持金具(22)を、ねじ(23)により固定したのち、各支持金具(22)の上端に外方に拡開させて形成した下向き鉤状の１対の係止爪(22a)(22a)を、互いに隣接する垂直杆(6b)における隣合う面の上下部の係合孔(24)に係止する。これにより、４個の照明器具(３)は、各垂直杆(6b)の間に平面視十字形をなすように、照明灯(20)を外方に向けて取付けられている（図３参照）。なお、各支持金具(22)は、互いに隣接する垂直杆(6b)の側面に係止されているため、各垂直杆(6b)はより強固に結合される。
【００２９】
上記各カバー(４)は、図３及び図７に示すように、背面のみが開口された平面視扇状をなし、その上下長は、照明器具(３)が収容可能なように、それよりも若干長寸とされている。
【００３０】
各カバー(４)の外面は、幅の等しい３個の角形面とされ、４個のカバー(４)を支柱(１)の回りに立設した際における平面形が、各垂直杆(6b)を挟んで概ね正１２角形となるようにしてある。
【００３１】
各カバー(４)を、その下端を最下段の棚板(5a)の４個の凹部(19)に嵌合させて立設すると、上記各照明器具(３)のほぼ全体がカバー(４)内に収容されて覆われるようになる（図３参照）。
【００３２】
また、このカバー(４)の立設時において、隣接するカバー(４)の対向面間には、垂直杆(6b)の厚さとほぼ等しい隙間が形成されるようになっている。
【００３３】
棚板(5a)の凹部(19)内に立設された各カバー(４)の上端は、支柱(１)の上端のめねじ孔(９)に４本のボルト(25)により固定される、上記最上段の棚板(5f)載置用の支持板(26)により、次のようにして保持されている。
【００３４】
すなわち、支持板(26)の下面における棚板(5a)の各凹部(19)と対向する位置には、図８に示すように、凹部(19)と同形状の上向きの４個の凹部(27)が形成されており、従って、各凹部(27)を、立設されたそれぞれのカバー(４)の上端に嵌合させた状態で、支持板(26)を支柱(１)の上端にボルト止めすれば、各カバー(４)は、棚板(5a)と支持板(26)間において不動状態に保持される。
【００３５】
図７及び図８に示すように、上記支持板(26)の上面には、中心部に軸状の取付部(28)が形成されるようにして、円形の凹部(29)が形成され、この凹部(29)に円環状の照明灯（蛍光灯）(30)を収容した状態で、支持板(26)の上面に、透光性を有するガラス又は合成樹脂製の棚板(5f)が載置されている。
【００３６】
棚板(5f)は、その中心に上方より挿入したボルト(31)を、上記軸状の取付部(28)のめねじ孔(32)に螺挿することにより、落下や位置ずれするのが防止されている。
【００３７】
上記中段の各棚板(5b)〜(5e)は、透光性を有するガラス又は合成樹脂等により、最下段の棚板(5a)の直径よりも若干小さく、かつ最上段の棚板(5f)の直径よりも若干大きい直径をなす２分割構造の円板状に形成され、中央部には、上記４個のカバー(４)が挿通可能な円孔(33)が形成されている。なお、各棚板(5b)〜(5e)は、大径であるため、その製造や取扱いの容易性に配慮して２分割構造としてあるが、小型の陳列棚とする際は、１枚構造としてもよい。
【００３８】
図３及び図９は、上記棚板(5b)〜(5e)の支持構造を示す。なお、各棚板(5b)〜(5e)の支持構造は全て同一であるため、図９においては、一部の棚板(5d)についてのみ図示するとともに、便宜上、共通する一部の部材についての図示を省略してある。
【００３９】
支柱(１)を構成している各垂直杆(6b)の外面には、１対ずつの板状ブラケット(34)(34)が、その基端部に形成された下向き鉤状の複数（３個）の係止爪(35)を、各垂直杆(6b)の外面に並設した上下３個ずつの係合孔(10)に係合させることにより、上端面を互いに水平に整合させた状態で、円周方向に９０°の等間隔をもって、カバー(４)間の隙間を通して取付けられている（図３参照）。
【００４０】
各ブラケット(34)の先端には、棚板(5d)の外周面と近接又は当接することにより、その落下や位置ずれを防止するための上向きのストッパ片(36)が連設されている。
【００４１】
互いに隣接するブラケット(34)の先端部間には、棚板(5d)の周端部とほぼ同じ曲率半径の円弧状に折曲された角筒状の連結杆(37)が、その両端に嵌着した取付金具(38)により取付けられている。
【００４２】
すなわち、取付金具(38)は、ブラケット(34)の先端部に上方より弾性係合可能な下向コ字状の挟持基片(38a)と、その一側面に周方向を向いて連設され、先端部が下向きに折り返し折曲された弾性係合片(38b)とからなり、弾性係合片(38b)を連結杆(37)の両端の角形孔に押し込んで弾性的に嵌合させた状態で、挟持基片(38a)をブラケット(34)の先端部に上方より嵌合することにより、各連結杆(37)は、隣接するブラケット(34)との間に、それらの上端面をほぼ同一面に整合させた状態で取付けられている（図１０参照）。
【００４３】
このようにして、各ブラケット(34)を支柱(１)に、かつ４個の連結杆(37)を隣接するブラケット(34)間にそれぞれ取付け、それらの上面に２分割構造の棚板(5d)を半分ずつ載せて互いの分割面を突合わせれば、棚板(5d)は、各ブラケット(34)と連結杆(37)とにより安定的に支持され、かつブラケット(34)の先端のストッパ片(36)により位置ずれするのが防止される。
【００４４】
なお、図示は省略するが、ブラケット(34)及び連結杆(37)の上面全体又は複数個所にゴム等の緩衝材を取付けてもよく、このようにすると、ガラス製とした際の棚板(5d)の下面に傷が付いたり、衝撃により破損したりするのが防止されるとともに、滑りにくくなるので、より安定的に支持される。
【００４５】
上記の要領で、各段のブラケット(34)と連結杆(37)を組付けて、全ての棚板(5b)〜(5e)を載置すれば、図１及び図２に示すような塔形の商品陳列棚(Ａ)が完成され、各段の棚板(5a)〜(5f)上に種々の化粧品等を載置して陳列することができる。
【００４６】
以上説明したように、上記実施形態の陳列棚(Ａ)においては、十字形をなす支柱(１)における隣接する垂直杆(6b)の間に、上下方向を向く４個の照明器具(３)を、平面視十字形となるように配設しているため、支柱(１)の周囲が長下方向に広範囲に照明されるとともに、照度も大となる。
【００４７】
従って、最上段の棚板(5f)を除いた各段の棚板(5a)〜(5e)の上下の面が効果的に照明され、それらに載置した商品の照明効果も大となるため、陳列効果が高まる。
【００４８】
また、最上段の透光性の棚板(5f)も、その下方の支持板(26)の凹部(29)に収容した円環状の照明灯(30)により照明されるので、それに載置した商品も効果的に照明され、陳列効果を高めることができる。
【００４９】
さらに、各照明器具(３)は、隣接する垂直杆(６)の間の空間部に配設されているため、それらの支柱(１)よりの突出寸法が小さくなり、かつ照明器具(３)を収容するカバー(４)の径方向の寸法も最小限としうるため、各段の棚板(5a)〜(5e)における商品陳列面の有効面積が小さくなるのが防止される。
【００５０】
支柱(１)の下端部は幕板(２)により覆われ、かつ各垂直杆(6b)の周囲の殆どが、ブラケット(34)挿通用の隙間を残してカバー(４)により覆われているので、体裁が向上する。
【００５１】
各カバー(４)は、その上下の端部を、棚板(5a)の上面と支持板(26)の下面とに形成した凹部(19)(27)に嵌合して、支持板(26)により押さえるのみで取付けられているため、その取付けや取外しが極めて容易となる。
【００５２】
また各照明器具(３)も、上下２個の支持金具(22)を、隣接する垂直杆(6b)の係合孔(24)に係合するだけで取付けられているので、その着脱が極めて容易である。
【００５３】
隣接するブラケット(34)の先端部間に円弧状の４個の連結杆(37)を取付け、この連結杆(37)と各ブラケット(34)により各棚板(5b)〜(5e)を支持しているため、それが大径で比較的重量が大きくても、安定的に支持される。しかも、ブラケット(34)の先端に上向きのストッパ片(36)を設けてあるため、棚板(5b)〜(5e)が落下したり、側方に位置ずれしたりする恐れはない。
【００５４】
支柱(１)は、通常の陳列棚等の支柱として用いられる汎用性の高いＬ字状の４個の支柱単体(６)を十字状に結合して構成されているため、安価であり、かつ安定性もよい。
【００５５】
また、各支柱単体(６)における互いに隣接する垂直杆(6b)同士は、上下複数個のＬ字状の連結金具(７)だけでなく、照明器具(３)取付用の上下２個の支持金具(22)によっても連結されているので、支柱単体(６)の結合強度を高めることができる。
【００５６】
幕板(２)は、円弧状の４個の幕片(11)を、その周端縁に内向きに折曲したフランジ片(11a)同士を結合して円筒形に形成してあるため、円周方向の４個所がフランジ片(11a)により補強され、大径とした際でも強度が高まる。
【００５７】
また、各幕片(11)のフランジ片(11a)の中間部同士を、補強杆(14)により結合しているため、幕板(２)の強度はより高まる。
【００５８】
さらに、幕板(２)の内面の下端部に、下向きコ字状の４個の係止金具(15)を固着し、これを各支柱単体(６)のベース脚(6a)に上方より嵌合させて、幕板(２)を４個のベース脚(6a)に取付けているため、支柱(１)に対する幕板(２)の位置決めが容易となり、かつ幕板(２)が円周方向に回動して位置ずれを起こすこともなくなる。
しかも、係止金具(15)の一方の垂下片を他方の垂下片よりも短寸としてあるため、幕板(２)を着脱する際にこれを大きく持ち上げる必要がない。
【００５９】
なお、上記実施形態では、４個の支柱単体(６)を平面視十字形に結合して支柱(１)を形成しているが、３個の支柱単体(６)を円周方向に１２０°の間隔をもって背中合わせに結合することもある。
【００６０】
この際には、隣接する垂直杆(6b)の間の空間部に、３個の照明器具(３)を配設するとともに、それを収容するカバーもほぼ１２０°の扇状とし、かつこのカバーを保持する棚板(5a)及び支持板(26)の凹部(19)(27)の形状も、カバーの形状に合わせればよい。
【００６１】
また、各ブラケット(34)の支柱に対する取付角度が広がるので、その先端部に取付けられる連結杆(37)の周長も大となる。
上記実施形態では、各棚板(5a)〜(5f)を円形としてあるが、方形や楕円形又はその他適宜の形状としてもよい。この際は、その形状、大きさに合わせて、ブラケット(34)の長さを変えればよい。
【００６２】
また、中段の棚板(5b)〜(5e)は、不透明とすることもある。
棚板(5b)〜(5e)が比較的に小さく、かつ軽量であるときには、連結杆(37)は省略して実施することもある。
【００６３】
小型の商品陳列棚(Ａ)として、支柱単体(６)の結合強度がそれ程要求されないときには、連結金具(７)の数を減らすか、省略し、照明器具取付用の支持金具(22)のみで各垂直杆(6b)同士を結合することもある。
【００６４】
上記実施形態では、各照明器具(３)を個々のカバー(４)により覆っているが、全ての照明器具(４)の周囲を、円筒形又は多角形等とした１個のカバーにより覆うこともある。
【００６５】
この際には、カバーに、各ブラケット(34)が挿通可能な上下方向を向くスリット状の長孔を設ければよい。
【００６６】
【発明の効果】
請求項１記載の発明によれば、カバーの周囲が上下方向を向く複数の照明灯により広範囲に照明されるので、各段の棚板に載置された商品が効果的に照明され、その陳列効果が高まる。
また、各段の棚板は、複数の照明灯によりほぼ均一な照度で照明されるので、陳列商品に明暗が生じることはない。
【００６７】
請求項２記載の発明によれば、最上段の棚板も下方より効果的に照明されるので、それに記載した商品の陳列効果を高めうる。
【００６８】
請求項３記載の発明によれば、特別な取付手段を用いることなく、カバーを簡単に固定状態に取付けることができるとともに、着脱も簡単であるので、照明灯の交換等が容易となる。
【００６９】
請求項４記載の発明によれば、カバーの位置決めが容易となるとともに、簡単に位置ずれするのが防止される。
【００７０】
請求項５記載の発明によれば、いずれかの照明灯を交換する際などに、それのみのカバーを着脱すればよいので、作業性が向上する。
【００７１】
請求項６記載の発明によれば、照明灯が支柱の外方に大きく突出しないので、それを覆うカバーも小型化され、各段の棚板の商品陳列面の有効面積が減少するのを防止しうる。
【００７２】
請求項７記載の発明によれば、棚板を安定的に支持することができる。
【００７３】
請求項８記載の発明によれば、各段の棚板の上面が下方より透過する光によっても照明されるので、陳列商品をより効果的に照明することができる。
【図面の簡単な説明】
【図１】本発明の一実施形態を示す斜視図である。
【図２】同じく、正面図である。
【図３】同じく、図２のIII−III線の拡大横断平面図である。
【図４】同じく、支柱、幕板、及びベースの棚板の分解斜視図である。
【図５】同じく、幕板及び棚板を支柱の下端部に取付けた状態の縦断正面図である。
【図６】同じく、図５のVI−VI線の横断平面図である。
【図７】同じく、照明器具、カバー、支持板及び最上段の棚板の支柱に対する取付要領を示す分解斜視図である。
【図８】同じく、支持板の縦断正面図である。
【図９】同じく、支柱に対するブラケット及び各段の棚板の取付要領を示す分解斜視図である。
【図１０】同じく、ブラケットにおける取付金具及び連結杆の取付部の拡大斜視図である。
【符号の説明】
(１)支柱
(２)幕板
(３)照明器具
(４)カバー
(5a)〜(5f)棚板
(６)支柱単体
(6a)ベース脚
(6b)垂直杆
(７)連結金具
(８)アジャスタボルト
(９)めねじ孔
(10)係合孔
(11)幕片
(11a)フランジ片
(12)ボルト
(13)ナット
(14)補強杆
(14a)外向折曲片
(15)係止金具
(16)通孔
(17)膨出部
(18)凹溝
(19)凹部
(20)照明灯
(21)支持体
(22)支持金具
(22a)係止爪
(23)ねじ
(24)係合孔
(25)ボルト
(26)支持板
(27)凹部
(28)取付部
(29)凹部
(30)照明灯
(31)ボルト
(32)めねじ孔
(33)円孔
(34)ブラケット
(35)係止爪
(36)ストッパ片
(37)連結杆
(38)取付金具
(38a)挟持基片
(38b)弾性係合片
(Ａ)商品陳列棚
(Ｆ)床面
【図１】
0004602586.tif 000002
【図２】
0004602586.tif 000003
【図３】
0004602586.tif 000004
【図４】
0004602586.tif 000005
【図５】
0004602586.tif 000006
【図６】
0004602586.tif 000007
【図７】
0004602586.tif 000008
【図８】
0004602586.tif 000009
【図９】
0004602586.tif 000010
【図１０】
0004602586.tif 000011